(57)【要約】【課題】ブレードの収納と起立や、アタッチメントとＡＣアダプタ本体の着脱を繰り返しても、安定的に直流電力を供給可能とする。【解決手段】プラグは、交流電源のコンセントに挿入されるブレード３１を備える。ブレード３１は、少なくとも一部が筺体に収納される第１位置と、前記筺体より突出する第２位置との間で、プラグの回動に伴って変位可能とされている。第１導電端子３２は、ブレード３１と電気的に接続されるとともに、筺体１０内において前記プラグの回動に伴って変位可能とされている。第２導電端子は、アダプタ本体に設けられた接続端子に対して第１方向Ａに接続される接続部５０ａと、第１方向Ａを長手方向として接続部５０ａに向かって延びる一対の弾性接点部５０ｂを備える。ブレード３１が前記第２位置にあるとき、第１導電端子３２は一対の弾性接点部５０ｂの先端部５０ｇにより挟持される。【選択図】図１２
2013222647.tif 000002
【特許請求の範囲】
【請求項１】
交流直流変換部を有するアダプタ本体に対して着脱自在に装着されるアタッチメントであって、
交流電源のコンセントに挿入されるブレードを備えるプラグと、
前記プラグを回動可能に支持する筺体と、
前記筺体内において前記プラグの回動に伴って変位可能とされ、前記ブレードと電気的に接続された第１導電端子と、
アダプタ本体に設けられた接続端子に対して第１方向に接続される接続部を有する第２導電端子とを備え、
前記第２導電端子は、前記第１方向を長手方向として前記接続部に向かって延びる一対の弾性接点部を備え、
前記ブレードは、少なくとも一部が前記筺体に収納される第１位置と、前記筺体より突出する第２位置との間で、前記プラグの回動に伴って変位可能とされており、
前記ブレードが前記第２位置にあるとき、前記第１導電端子は前記一対の弾性接点部の先端部により挟持される、アタッチメント。
【請求項２】
前記第２導電端子は、前記第１方向と交差する向きに延びて前記一対の弾性接点部の基端部を支持する第１支持部を備え、
前記筺体内には、前記第１支持部の前記第１方向と逆の第２方向への変位を規制する第１規制部材が設けられている、請求項１に記載のアタッチメント。
【請求項３】
前記筺体内には、前記第１支持部の前記第１方向への変位を規制する第２規制部材が設けられている、請求項２に記載のアタッチメント。
【請求項４】
前記第２導電端子は、
前記第１方向と交差する向きに延びて前記接続部を支持する第２支持部と、
前記第１方向を長手方向として延び、前記第１支持部と前記第２支持部を接続する第３支持部と、
前記第２支持部より前記第３支持部に沿って前記第２方向に延び、前記第２支持部が前記第２方向に屈曲することを防止する第１屈曲規制部とを備える、請求項２または３に記載のアタッチメント。
【請求項５】
前記筺体内には、前記第２支持部が前記第２方向に屈曲することを防止する第２屈曲規制部が設けられている、請求項４に記載のアタッチメント。
【請求項６】
交流直流変換部と、当該交流直流変換部と電気的に接続された接続端子とを備えるアダプタ本体と、
前記アダプタ本体に対して着脱自在に装着されるアタッチメントとを備え、
前記アタッチメントは、
交流電源のコンセントに挿入されるブレードを備えるプラグと、
前記プラグを回動可能に支持する筺体と、
前記筺体内において前記プラグの回動に伴って変位可能とされ、前記ブレードと電気的に接続された第１導電端子と、
前記接続端子に対して第１方向に挿入される接続部を有する第２導電端子とを備え、
前記第２導電端子は、前記第１方向を長手方向として前記接続部に向かって延びる一対の弾性接点部を備え、
前記ブレードは、少なくとも一部が前記筺体に収納される第１位置と、前記筺体より突出する第２位置との間で、前記プラグの回動に伴って変位可能とされており、
前記ブレードが前記第２位置にあるとき、前記第１導電端子は前記一対の弾性接点部の先端部により挟持される、ＡＣアダプタ。
【発明の詳細な説明】
【技術分野】
【０００１】
本発明は、交流電源のコンセントに挿入されるブレードを備え、ＡＣアダプタのアダプタ本体に着脱自在に装着されるアタッチメント、および当該アタッチメントが装着されたＡＣアダプタに関する。
【背景技術】
【０００２】
この種のアタッチメントとして、ブレードを備えるプラグが筺体に対して回動可能に支持されることにより、ブレードが筺体内に収納される位置（収納位置）と、筺体より突出する位置（起立位置）との間で変位可能とされたものが知られている（例えば、特許文献１参照）。ブレードが起立位置に配置されることにより、交流電源のコンセントに挿入可能とされる。
【先行技術文献】
【特許文献】
【０００３】
【特許文献１】特開平１１−１０２７６２号公報
【発明の概要】
【発明が解決しようとする課題】
【０００４】
特許文献１に記載の構成においては、ブレードが起立位置に配置されることにより、プラグに設けられた第１の接点部材と、筺体内に配置されてＡＣアダプタ本体と電気的に接続された第２の接点部材とが接触し、交流電源とＡＣアダプタ本体内の交流直流変換部が導通する構成とされている。
【０００５】
第２の接点部材は筺体内において片持ち梁状に支持されており、その一端部は第１の接点部材と弾性接触する構成とされている。第２の接点部材の他端部は、アタッチメントとＡＣアダプタ本体の接続部に接続されている。
【０００６】
第２の接点部材の一端部は、第１の接点部材と一点で弾性接触する構成のため、ブレードの収納と起立を繰り返すうちに第２の接点部材が変形し、安定した弾性接触が得られなくなるおそれがある。またアタッチメントとＡＣアダプタ本体の接続により、接続部を介して加わる応力が第２の接点部材を変形させ、安定した弾性接触が得られなくなるおそれがある。第１の接点部材と第２の接点部材の接触不良は、ＡＣアダプタを介しての安定した直流電力の供給が損なわれる原因となる。
【０００７】
よって本発明は、ブレードの収納と起立や、アタッチメントとＡＣアダプタ本体の着脱を繰り返しても、安定的に直流電力を供給可能とする技術を提供することを目的とする。
【課題を解決するための手段】
【０００８】
上記の目的を達成するために、本発明がとりうる第１の態様は、交流直流変換部を有するアダプタ本体に対して着脱自在に装着されるアタッチメントであって、
交流電源のコンセントに挿入されるブレードを備えるプラグと、
前記プラグを回動可能に支持する筺体と、
前記筺体内において前記プラグの回動に伴って変位可能とされ、前記ブレードと電気的に接続された第１導電端子と、
アダプタ本体に設けられた接続端子に対して第１方向に接続される接続部を有する第２導電端子とを備え、
前記第２導電端子は、前記第１方向を長手方向として前記接続部に向かって延びる一対の弾性接点部を備え、
前記ブレードは、少なくとも一部が前記筺体に収納される第１位置と、前記筺体より突出する第２位置との間で、前記プラグの回動に伴って変位可能とされており、
前記ブレードが前記第２位置にあるとき、前記第１導電端子は前記一対の弾性接点部の先端部により挟持される。
【０００９】
このような構成によれば、弾性接点部の寸法をできる限り長くして適度な撓み性を付与することができ、第１導電端子に対する接触性が良好となる。また第１導電端子は弾性接点部の先端部により挟持されるため、二点接触によって良好な接触性が維持される。また弾性接点部の基端部を接触部から離間させることができるため、アタッチメントをアダプタ本体に装着する際に接触部に加わる応力が弾性接点部に及ぶことを抑制しうる。
【００１０】
前記第２導電端子は、前記第１方向と交差する向きに延びて前記一対の弾性接点部の基端部を支持する第１支持部を備え、
前記筺体内には、前記第１支持部の前記第１方向と逆の第２方向への変位を規制する第１規制部材が設けられている構成としてもよい。
【００１１】
このような構成によれば、アタッチメントをアダプタ本体に装着する際や、ブレードを第１位置から第２位置へ変位させる際に生じる応力によって第２導電端子に変位や変形が生じ、弾性接点部と第１導電端子との間に接触不良が起こることを回避しうる。
【００１２】
ここで、前記筺体内には、前記第１支持部の前記第１方向への変位を規制する第２規制部材が設けられている構成としてもよい。
【００１３】
このような構成によれば、第１規制部材との協働によって、第２導電端子が上下方向や前後方向にがたつくことが防止される。
【００１４】
前記第２導電端子は、
前記第１方向と交差する向きに延びて前記接続部を支持する第２支持部と、
前記第１方向を長手方向として延び、前記第１支持部と前記第２支持部を接続する第３支持部と、
前記第２支持部より前記第３支持部に沿って前記第２方向に延び、前記第２支持部が前記第２方向に屈曲することを防止する第１屈曲規制部とを備える構成としてもよい。
【００１５】
このような構成によれば、アタッチメントがアダプタ本体に装着される際に過度の応力が接続部に加わった場合においても、第１屈曲規制部が第３支持部に当接して第２支持部が第２方向に屈曲することが防止される。
【００１６】
ここで、前記筺体内には、前記第２支持部が前記第２方向に屈曲することを防止する第２屈曲規制部が設けられている構成としてもよい。
【００１７】
このような構成によれば、第２導電端子の外部応力に対する堅牢性をさらに高めることができる。
【００１８】
上記の目的を達成するために本発明がとりうる第２の態様は、ＡＣアダプタであって、
交流直流変換部と、当該交流直流変換部と電気的に接続された接続端子とを備えるアダプタ本体と、
前記アダプタ本体に対して着脱自在に装着されるアタッチメントとを備え、
前記アタッチメントは、
交流電源のコンセントに挿入されるブレードを備えるプラグと、
前記プラグを回動可能に支持する筺体と、
前記筺体内において前記プラグの回動に伴って変位可能とされ、前記ブレードと電気的に接続された第１導電端子と、
前記接続端子に対して第１方向に挿入される接続部を有する第２導電端子とを備え、
前記第２導電端子は、前記第１方向を長手方向として前記接続部に向かって延びる一対の弾性接点部を備え、
前記ブレードは、少なくとも一部が前記筺体に収納される第１位置と、前記筺体より突出する第２位置との間で、前記プラグの回動に伴って変位可能とされており、
前記ブレードが前記第２位置にあるとき、前記第１導電端子は前記一対の弾性接点部の先端部により挟持される。
【００１９】
このような構成によれば、第１導電端子と弾性接点部の安定接触状態を維持しうることにより、安定した直流電力を交流直流変換部から出力することができる。
【発明の効果】
【００２０】
本発明によれば、ブレードの収納と起立や、アタッチメントとＡＣアダプタ本体の着脱を繰り返しても、安定的に直流電力を供給できる。
【図面の簡単な説明】
【００２１】
【図１】本発明の一実施形態に係るアタッチメントの外観を示す斜視図である。
【図２】アタッチメントのブレードが収納位置にある状態を示す五面図である。
【図３】アタッチメントのブレードが起立位置にある状態を示す五面図である。
【図４】アタッチメントの内部構成を示す分解斜視図である。
【図５】図４の端子を拡大して示す斜視図である。
【図６】図１のアタッチメントから上ケースを取り外した状態を示す斜視図である。
【図７】アダプタ本体へのアタッチメントの装着を説明するための斜視図である。
【図８】アダプタ本体の外観を示す五面図である。
【図９】本発明の一実施形態に係るＡＣアダプタの外観を示す五面図である。
【図１０】アタッチメントの上ケースを下方から見た斜視図である。
【図１１】上ケースの第１規制部材と第２規制部材を説明するための断面図である。
【図１２】上ケースの第３規制部材を説明するための断面図である。
【図１３】アタッチメントの変形例を説明するための斜視図である。
【発明を実施するための形態】
【００２２】
添付の図面を参照しつつ、本発明の実施形態について以下詳細に説明する。なお以下の説明に用いる各図面では、各部材を認識可能な大きさとするために縮尺を適宜変更している。また以降の説明における「上下」「左右」「前後」に係る表現は、図面を参照する説明において便宜上用いるに過ぎず、製品の使用時における方向を限定する意図ではない。
【００２３】
図１は、本発明の一実施形態に係るアタッチメント１の外観を示す斜視図である。アタッチメント１は、後述するアダプタ本体２に対して着脱自在に装着されることにより、ＡＣアダプタ３を形成するものである。
【００２４】
アタッチメント１は交流電源のコンセントに挿入される一対のブレード３１を備える部品であり、アダプタ本体２は用途に応じた直流電力を供給するための交流直流変換部を備える部品である。適宜の仕様を有するアダプタ本体２にアタッチメント１を装着することにより、アタッチメント１を共用としてコストを抑制しつつ、用途に応じたＡＣアダプタ３を構成することができる。
【００２５】
アタッチメント１のブレード３１は、筺体１０が備える一対の溝１１に収納される収納位置と、筺体１０より突出する起立位置との間で変位可能とされている。図１の（ａ）はブレード３１が収納位置にある状態を、（ｂ）はブレード３１が起立位置にある状態を示している。収納位置においてブレード３１の先端部は溝１１より突出している。ユーザは指などで当該先端部を上方に押圧することにより、収納位置にあるブレード３１を起立位置に変位させることができる。
【００２６】
図２は、ブレード３１が収納位置にある状態のアタッチメント１を示す五面図である。図３は、ブレード３１が起立位置にある状態のアタッチメント１を示す五面図である。各図において（ａ）は上面図、（ｂ）は正面図、（ｃ）は底面図、（ｄ）は右側面図、（ｅ）は背面図である。左側面図は右側面図と左右対称となるため、図示を省略している。
【００２７】
図２の（ａ）および（ｂ）に示すように、一対の溝１１は筺体１０の上面１０ａおよび前面１０ｂに開口している。図２の（ｃ）および（ｅ）に示すように、筺体１０の底面１０ｃおよび背面１０ｄには一対のガイド溝１２が開口している。また背面１０ｄには中空のコネクタ部１３が設けられている。
【００２８】
図４に分解斜視図を示すように、アタッチメント１は、上ケース２０、プラグ３０、係止部材４０、一対の端子５０、および下ケース６０を備えている。上ケース２０、係止部材４０、および下ケース６０が組み付けられることにより、上記の筺体１０が構成されている。溝１１は上ケース２０に、ガイド溝１２およびコネクタ部１３は下ケース６０に設けられている。
【００２９】
プラグ３０は、一対のブレード３１、一対の導電端子３２、本体部３３、および回動支持部３４を備えている。本体部３３は一対の支持部３３ａを有している。各ブレード３１と各導電端子３２は、各支持部３３ａを挟んで反対側に位置するように支持されている。ブレード３１と導電端子３２は支持部３３ａの内部で電気的に接続されている。回動支持部３４は一方の支持部３３ａの側方に設けられている。回動支持部３４は円柱状の外観を呈しており、その外周面に一定の角度間隔をもって複数の突起３４ａが形成されている。
【００３０】
係止部材４０は、一対の挟持部４０ａを備えている。各挟持部には凹部４０ｂが形成されている。
【００３１】
下ケース６０は、底板部６０ａと背板部６０ｂを備えている。底板部６０ａには複数の区画壁が設けられて、端子収容部６０ｃと係止部材収容部６０ｄを区画形成している。背板部６０ｂにはコネクタ部１３の内部空間に連通する開口６０ｅが形成されている。
【００３２】
図５は、端子５０を拡大して示す斜視図である。端子５０は、板金を打ち抜き加工および曲げ加工することにより形成された一体構造を有する導電性の部材である。ここでいう「一体構造」とは、端子５０を構成する各部が同一素材からなり、かつ連続している状態（モノリシック構造）を指す表現である。素材や特性の異なる二つ以上の部材を接着や溶着により一体とした構成とは区別する意味で用いる。
【００３３】
端子５０は、接続部５０ａ、一対の弾性接点部５０ｂ、第１支持部５０ｃ、第２支持部５０ｄ、第３支持部５０ｅ、および一対の屈曲規制部５０ｆを備えている。各部の構成と機能については後述する。
【００３４】
各端子５０が下ケース６０の端子収容部６０ｃに配置されると、各端子５０の接続部５０ａが下ケース６０の開口６０ｅに挿入される。これにより図２の（ｅ）に示すように、接続部５０ａはコネクタ部１３の内部空間に露出する。
【００３５】
図６の（ａ）は、プラグ３０、係止部材４０、および一対の端子５０が下ケース６０に組付けられた状態を示している。係止部材４０は、下ケース６０の係止部材収容部６０ｄに上方より装着される。その上方よりプラグ３０が組み付けられることにより、係止部材４０が備える一対の挟持部４０ａの間に回動支持部３４が挟持される。
【００３６】
回動支持部３４は、挟持部４０ａの間で回動可能とされており、回動に伴って一体に形成されている本体部３３も回動し、ブレード３１の姿勢が変化する。回動支持部３４が所定の角度だけ挟持部４０内を回動するごとに、回動支持部３４の外周面に形成された突起３４ａが挟持部４０ａに形成された溝４０ｂと係合することにより、当該位置に対応するブレード３１の姿勢が保持される。一定の外力をブレード３１に加えることにより、突起３４ａと溝４０ｂの係合は解除され、再びブレード３１の姿勢変更が可能となる。
【００３７】
図６の（ａ）は、ブレード３１が本発明の第１位置としての収納位置にある状態を示しており、（ｂ）はブレード３１が本発明の第２位置としての起立位置にある状態を示している。上記のようにプラグ３０は筺体１０に回動可能に支持されており、ブレード３１はプラグ３０の回動に伴って変位可能とされている。また本発明の第１導電端子としての一対の導電端子３２は、プラグ３０の回動に伴ってブレード３１とともに変位可能とされている。図６の（ｂ）に示すように、ブレード３１が起立位置にあるとき、各導電端子３２は、本発明の第２導電端子としての各端子５０が備える弾性接点部５０ｂの先端部５０ｇにより挟持される。
【００３８】
図７の（ａ）は、上記のアタッチメント１が装着可能とされたアダプタ本体２を示している。アダプタ本体２の筺体７０は、第１支持面７０ａと第２支持面７０ｂを備えており、これらによってアタッチメント装着部７１が区画形成されている。
【００３９】
第１支持面７０ａには一対のガイドレール７２が設けられている。第２支持面７０ｂにはコネクタ部７３が開口している。筺体７０の内部には、供給された交流電力を所望の直流電力に変換する交流直流変換部７４が内蔵されている。コネクタ部７３の内部には、交流直流変換部７４と電気的に接続された一対の接続端子７５が露出している。
【００４０】
図７の（ｂ）に示すように、アダプタ本体２のアタッチメント装着部７１にアタッチメント１が装着されることにより、ＡＣアダプタ３が形成される。具体的には、アタッチメント１の底面１０ｃに形成されたガイド溝１２を、アダプタ本体２の第１支持面７０ａに形成されたガイドレール７２と係合させ、本発明の第１方向としての装着方向Ａに沿ってアタッチメント１のコネクタ部１３をアダプタ本体２のコネクタ部７３に挿入する。これによりコネクタ部１３内に配置された各端子５０の接続部５０ａが、コネクタ部７３内に配置された各接続端子７５と電気的に接続される。
【００４１】
この状態でアタッチメント１のブレード３１を起立させることにより、導電端子３２が端子５０の弾性接点部５０ｂにより挟持される。この状態において、ブレード３１から導電端子３２、端子５０、および接続端子７５を経て交流直流変換部７４に至る導電経路が形成される。
【００４２】
図８は、アダプタ本体２を示す五面図である。図９は、ＡＣアダプタ３が形成された状態を示す五面図である。各図において（ａ）は上面図、（ｂ）は正面図、（ｃ）は底面図、（ｄ）は右側面図、（ｅ）は背面図である。左側面図は右側面図と左右対称となるため、図示を省略している。アダプタ本体２の底面には、直流電力を供給するための電源コードが接続される出力端子７６が設けられている。
【００４３】
図５に示すように、端子５０が備える弾性接点部５０ｂは、上記のアタッチメント装着方向Ａを長手方向として、接続部５０ａに向かって延びている。各弾性接点部５０ｂの基端部５０ｈは、装着方向Ａと交差する向きに延びる第１支持部５０ｃにより支持されている。これにより各弾性接点部５０ｂは片持ち梁状に支持されて弾性変形可能とされる。第２支持部５０ｄは、装着方向Ａと交差する向きに延びて接続部５０ａを支持している。第１支持部５０ｃと第２支持部５０ｄは、装着方向Ａを長手方向として延びる第３支持部５０ｅにより接続されている。
【００４４】
このような構成によれば、弾性接点部５０ｂの寸法をできる限り長くすることができる。よって弾性接点部５０ｂに適度な撓み性を付与することが可能となり、プラグ３０の導電端子３２に対する接触性が良好となる。さらに本実施形態の場合、導電端子３２は弾性接点部５０ｂの先端部５０ｇにより挟持されるため、二点接触によって良好な接触性が維持される。
【００４５】
また弾性接点部５０ｂの基端部５０ｈを接触部５０ａから離間させることができるため、アタッチメント１をアダプタ本体２に装着する際に接触部５０ａに加わる応力が弾性接点部５０ｂに及ぶことを抑制できる。このことによっても弾性接点部５０ｂによる導電端子３２に対する良好な接触性が維持されうる。
【００４６】
図１０は、上ケース２０を下方から見た外観を示している。筺体１０の一部を構成する上ケース２０が区画形成する内部空間には、一対の第１規制部材２１、一対の第２規制部材２２、および一対の第３規制部材２３が設けられている。
【００４７】
図１１の（ａ）は、図２の（ａ）における線XIA−XIAに沿う縦断面図であり、（ｂ）は図３の（ａ）における線XIB−XIBに沿う縦断面図である。（ａ）においてブレード３１は収納位置にあり、（ｂ）においてブレード３１は起立位置にある。
【００４８】
図１１に示すように、上ケース２０が下ケース６０に組付けられることにより、各第１規制部材２１が各端子５０の第１支持部５０ｃの前方に配置され、各第２規制部材２２が各第１支持部５０ｃの後方に配置される。
【００４９】
第１規制部材２１は、本発明の第２方向としての方向Ｂへの第１支持部５０ｃの変位を規制する。方向Ｂは、上記のアタッチメント装着方向Ａと逆の方向として定義される。方向Ｂは、端子５０の接続部５０ａとアダプタ本体２の接続端子７５が接続される際に、応力が作用する向きである。またブレード３１が起立位置に配置されることにより、導電端子３２が弾性接点部５０ｂの先端部５０ｇの間に進入する向きでもある。
【００５０】
したがって第１規制部材２１は、アタッチメント１をアダプタ本体２に装着する際や、ブレード３１を収納位置から起立位置へ変位させる際に生じる応力によって、端子５０が方向Ｂへ変位することを規制する。よって端子５０の変位や変形により弾性接点部５０ｂと導電端子３２の接触不良が生じることを回避しうる。
【００５１】
第２規制部材２２は、第１支持部５０ｃが装着方向Ａに変位することを規制する。第１規制部材２１とともに第１支持部材５０ｃを前後方向から挟持することにより、アタッチメント１をアダプタ本体２に装着する際や、ブレード３１を収納位置から起立位置へ変位させる際に生じる応力によって、端子５０が上下方向や前後方向にがたつくことを防止している。これにより弾性接点部５０ｂと導電端子３２の接触不良がより確実に防止されうる。
【００５２】
図５に示すように、端子５０は屈曲規制部５０ｆをさらに備えている。図１１に示すように、本発明の第１屈曲規制部としての屈曲規制部５０ｆは、第２支持部５０ｄより第３支持部５０ｅに沿って方向Ｂに延びている。例えば、アタッチメント１がアダプタ本体２に装着される際に過度の応力が接続部５０ａに加わった場合においても、屈曲規制部５０ｆが第３支持部５０ｅに当接して第２支持部５０ｄが方向Ｂに屈曲することが防止される。したがって端子５０の外部応力に対する堅牢性を高めることができ、端子５０の変形に伴う弾性接点部５０ｂと導電端子３２の接触不良が防止されうる。
【００５３】
図１２の（ａ）は、図２の（ａ）における線XIIA−XIIAに沿う縦断面図であり、（ｂ）は図３の（ａ）における線XIIB−XIIBに沿う縦断面図である。（ａ）においてブレード３１は収納位置にあり、（ｂ）においてブレード３１は起立位置にある。図１２に示すように、上ケース２０が下ケース６０に組付けられることにより、各第３規制部材２３が各端子５０の第２支持部５０ｄの前方に配置される。
【００５４】
第３規制部材２３は、アタッチメント１をアダプタ本体２に装着する際や、ブレード３１を収納位置から起立位置へ変位させる際に生じる応力によって、第２支持部５０ｄが方向Ｂへ変位することを規制する。また第３規制部材２３は、本発明の第２屈曲規制部として機能し、アタッチメント１がアダプタ本体２に装着される際に過度の応力が接続部５０ａに加わった場合においても、第２支持部５０ｄが方向Ｂに屈曲することを防止する。したがって端子５０の外部応力に対する堅牢性を高めることができ、端子５０の変位や変形に伴う弾性接点部５０ｂと導電端子３２の接触不良が防止されうる。
【００５５】
上記のような構成を備えるアタッチメント１をアダプタ本体２に装着してＡＣアダプタ３を形成し、ブレード３１を起立位置に配置して交流電源のコンセントに挿入することにより、安定した直流電力を出力端子７６から取り出すことが可能となる。
【００５６】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００５７】
ブレード３１は、必ずしも一部が溝１１より露出していることを要しない。収納位置から起立位置への変位を可能とする適宜の構成が設けられていれば、ブレード３１の全体が溝１１に収納されてもよい。
【００５８】
端子５０は、必ずしも一体構造とされることを要しない。接続部５０ａと弾性接点部５０ｂが電気的に接続され、弾性接点部５０ｂが装着方向Ａを長手方向として接続部５０ａに向かって延びる形状を有している限りにおいて、複数の導電性部材を組み合わせて形成される構成としてもよい。
【００５９】
第１規制部材２１と第３規制部材２３のいずれかが上ケース２０に設けられていれば、第２規制部材２２は必ずしも設けられることを要しない。
【００６０】
図１３に示すように、上ケース２０に第１規制部材２１を設ける代わりに、下ケース６０の底板６０ａに第１規制部材２１Ａを設ける構成としてもよい。当該構成によっても、端子５０に加わる応力により第１支持部５０ｃが方向Ｂに変位することを規制できる。この場合において、第２規制部材２２と第３規制部材２３の少なくとも一方を上ケース２０に設けない構成としてもよい。
【符号の説明】
【００６１】
１：アタッチメント、２：アダプタ本体、３：ＡＣアダプタ、１０：筺体、２１：第１規制部材、２２：第２規制部材、２３：第３規制部材、３０：プラグ、３１：ブレード、３２：導電端子、５０：端子、５０ｂ：弾性接点部、５０ｃ：第１支持部、５０ｄ：第２支持部、５０ｅ：第３支持部、５０ｆ：屈曲規制部、５０ｇ：弾性接点部の先端部、５０ｈ：弾性接点部の基端部、７４：交流直流変換部、７５：接続端子、Ａ：アタッチメントの装着方向、Ｂ：装着方向と逆の方向
【図１】
2013222647.tif 000003
【図２】
2013222647.tif 000004
【図３】
2013222647.tif 000005
【図４】
2013222647.tif 000006
【図５】
2013222647.tif 000007
【図６】
2013222647.tif 000008
【図７】
2013222647.tif 000009
【図８】
2013222647.tif 000010
【図９】
2013222647.tif 000011
【図１０】
2013222647.tif 000012
【図１１】
2013222647.tif 000013
【図１２】
2013222647.tif 000014
【図１３】
2013222647.tif 000015